(57)【要約】  複数の電気照明又は他のデバイスを充電するように構成されている充電ステーションの種々の実施形態が記載される。充電ステーションは、必要とするスペースを制限しながらも、多くのキャンドルの充電を可能にするように階段であるものとすることができる。充電ステーションは、ユーザの種々の必要性に動的に適合することが可能となるようにモジュール式であるものとすることができる。
2015526058.tif 000002
【特許請求の範囲】
【請求項１】
充電ステーションであって、
ベースと、
前記ベースに電気的に結合されるとともに、第１の組の電気照明及び第２の組の電気照明をそれぞれ充電することを可能にするように構成されている第１のトレイ及び第２のトレイとを備え、
前記第１のトレイ及び前記第２のトレイのうちの少なくとも一方は、前記ベースから水平に摺動することができるように、前記ベースに取り外し可能に結合される、充電ステーション。
【請求項２】
前記第１のトレイは前記ベースに取り付けられる、請求項１に記載の充電ステーション。
【請求項３】
前記第１のトレイは前記ベースと一体的である、請求項１に記載の充電ステーション。
【請求項４】
前記第２のトレイは前記第１のトレイの上で前記ベースに結合され、前記第１のトレイ及び前記第２のトレイは前記ベースに電気的に結合される、請求項１に記載の充電ステーション。
【請求項５】
前記第１のトレイ及び前記第２のトレイは階段状である、請求項４に記載の充電ステーション。
【請求項６】
前記ベースは第１のセクション及び第２のセクションを含み、前記第１のトレイは前記第１のセクションに配置され、前記第２のトレイは前記第２のセクションに配置される、請求項１に記載の充電ステーション。
【請求項７】
前記第１のセクション及び前記第２のセクションは取り外し可能に結合される、請求項６に記載の充電ステーション。
【請求項８】
前記第１のトレイ及び前記第２のトレイは前記ベースに並列に電気的に結合される、請求項１に記載の充電ステーション。
【請求項９】
前記第１のトレイ及び前記第２のトレイは前記ベースに直列に電気的に結合される、請求項１に記載の充電ステーション。
【請求項１０】
前記第１のトレイ及び前記第２のトレイのうちの少なくとも一方は、誘導充電を可能にするように構成されるよう、一組の誘導コイルを含む、請求項１に記載の充電ステーション。
【請求項１１】
前記充電ステーションは、共鳴磁気結合によって前記第１の組の電気照明及び前記第２の組の電気照明のうちの少なくとも一方の無線充電を可能にするように構成されている共鳴磁気コイルを更に含む、請求項１に記載の充電ステーション。
【請求項１２】
前記第１の組の電気照明は第１の電気照明及び第２の電気照明を含み、前記第１の電気照明の設置面積は、前記第２の電気照明の設置面積よりも小さい、請求項１に記載の充電ステーション。
【請求項１３】
前記ベースは第１のセクション及び第２のセクションを含み、該第２のセクションは前記第１のセクションの上に積み重ねられ、該第１のセクションは前記第２のセクションに電気的に結合される、請求項１に記載の充電ステーション。
【請求項１４】
前記充電ステーションは、前記第２のセクションに取り外し可能に結合される第３のセクションを更に含み、
前記第３のセクションは前記第２のセクションの上に積み重ねられ、前記第３のセクションは、前記第１のセクション及び前記第２のセクションのうちの少なくとも一方に電気的に結合される、請求項１３に記載の充電ステーション。
【請求項１５】
前記第１の組の電気照明はプログラムを記憶するように構成されているメモリをそれぞれ備え、前記第１の組の電気照明は、前記第１のトレイに電気的に結合されると前記プログラムを実行するようにそれぞれ構成されている、請求項１に記載の充電ステーション。
【請求項１６】
前記第１の組の電気照明は、前記第１のトレイに電気的に結合されると照明するようにそれぞれ構成されている、請求項１５に記載の充電ステーション。
【請求項１７】
前記第１の組の電気照明は、前記第１のトレイにそれぞれ磁気的に結合される、請求項１に記載の充電ステーション。
【請求項１８】
前記第１のトレイ及び前記第２のトレイのうちの少なくとも一方は、該トレイの少なくとも一部を横切って延びるように構成されている金属ストリップを含む、請求項１に記載の充電ステーション。
【請求項１９】
充電ステーションであって、
緩く詰められる導電性材料を受け入れるように構成されているトレイを備え、
前記トレイは、前記緩く詰められる導電性材料が帯電されるように該緩く詰められる導電性材料に電流を流すように構成されている、充電ステーション。
【請求項２０】
前記緩く詰められる導電性材料は、電気照明が該緩く詰められる導電性材料に挿入されると、該電気照明の充電を促すように構成されている、請求項１９に記載の充電ステーション。
【請求項２１】
電気照明を充電する方法であって：
緩く詰められる導電性材料を保持するように構成されている容器を準備することと、
前記緩く詰められる導電性材料を帯電させることと
電気照明を前記緩く詰められる導電性材料に挿入することと
を含む、方法。
【請求項２２】
前記容器は、前記緩く詰められる導電性材料を帯電させるように構成されている、請求項２１に記載の方法。
【請求項２３】
電気照明を充電する方法であって、
緩く詰められる導電性材料を保持するように構成されている容器であって、前記導電性材料に電流を流すように構成されている前記容器を準備すること；及び
ユーザに、電気照明を前記緩く詰められる導電性材料に挿入して該電気照明を充電するように指示すること
を含む、方法。
【請求項２４】
充電ステーションであって、
金属ストリップに電気的に結合されるベースを備え、
前記ベースは、電気照明が該ベースによって受け入れられると前記金属ストリップが前記電気照明の電気接点に接触するよう、前記電気照明を受け入れるように構成されている、充電ステーション。
【請求項２５】
前記金属ストリップと前記電気接点との間の接触は、前記金属ストリップから前記電気照明への電流の伝達を可能にする、請求項２４に記載の充電ステーション。
【請求項２６】
前記金属ストリップを含むトレイを更に備える、請求項２４に記載の充電ステーション。
【請求項２７】
前記トレイは前記ベースと一体的である、請求項２６に記載の充電ステーション。
【請求項２８】
充電ステーションであって、
ベースと、
前記ベースに電気的に結合されるとともに、第１の組の電気照明を充電することを可能にするように構成されている第１のトレイとを備え、
前記第１のトレイは、該第１のトレイ内に配置される複数のフィンガを含み、該フィンガのうちの少なくとも幾つかは電気接点を含む、充電ステーション。
【請求項２９】
前記第１のトレイは、前記第１の組の電気照明を受け入れるように構成されている、請求項２８に記載の充電ステーション。
【請求項３０】
前記複数のフィンガは、前記第１のトレイが前記第１の組の電気照明を受け入れると少なくとも部分的に回動するようにそれぞれ構成されている、請求項２８に記載の充電ステーション。
【請求項３１】
前記複数のフィンガは、前記第１の組の電気照明の電気接点に接触するように構成されている電気接点をそれぞれ含む、請求項２８に記載の充電ステーション。
【請求項３２】
前記第１の組の電気照明は少なくとも２つの異なるサイズの電気照明を含む、請求項２８に記載の充電ステーション。
【請求項３３】
前記第１のトレイは前記ベースと一体的である、請求項２８に記載の充電ステーション。
【請求項３４】
前記第１のトレイは、第１の充電プラットフォームを受け入れるように構成されており、該第１の充電プラットフォームは前記第１の組の電気照明を受け入れるように構成されている、請求項２８に記載の充電ステーション。
【請求項３５】
充電ステーションであって、
ベースと、
前記ベースに電気的に結合されるとともに、第１の組の電気照明及び第２の組の電気照明をそれぞれ充電することを可能にするように構成されている第１のトレイ及び第２のトレイとを備え、
前記第１のトレイ及び前記第２のトレイのうちの少なくとも一方は、前記第１の組の電気照明及び前記第２の組の電気照明の誘導充電を可能にするように構成されている一組の誘導コイルを含み、
前記第１のトレイ及び前記第２のトレイのうちの少なくとも一方は、前記ベースから水平に摺動することができるように、前記ベースに取り外し可能に結合される、充電ステーション。
【請求項３６】
前記第１のトレイは前記ベースに取り付けられる、請求項３５に記載の充電ステーション。
【請求項３７】
前記第１のトレイは前記ベースと一体的である、請求項３５に記載の充電ステーション。
【請求項３８】
前記第２のトレイは前記第１のトレイの上で前記ベースに取り付けられ、前記第１のトレイ及び前記第２のトレイは前記ベースに電気的に結合される、請求項３５に記載の充電ステーション。
【請求項３９】
前記第１のトレイ及び前記第２のトレイは階段状である、請求項３８に記載の充電ステーション。
【請求項４０】
前記ベースは第１のセクション及び第２のセクションを含み、前記第１のトレイは前記第１のセクションに配置され、前記第２のトレイは前記第２のセクションに配置される、請求項３５に記載の充電ステーション。
【請求項４１】
前記第１のセクション及び前記第２のセクションは取り外し可能に結合される、請求項４０に記載の充電ステーション。
【請求項４２】
前記第１のトレイ及び前記第２のトレイは前記ベースに並列に電気的に結合される、請求項３５に記載の充電ステーション。
【請求項４３】
前記第１のトレイ及び前記第２のトレイは前記ベースに直列に電気的に結合される、請求項３５に記載の充電ステーション。
【請求項４４】
前記一組の誘導コイルは、共鳴磁気結合によって前記第１の組の電気照明及び前記第２の組の電気照明のうちの少なくとも一方の無線充電を可能にするように構成されている共鳴磁気コイルを含む、請求項３５に記載の充電ステーション。
【請求項４５】
前記第１の組の電気照明は第１の電気照明及び第２の電気照明を含み、前記第１の電気照明の設置面積は、前記第２の電気照明の設置面積よりも小さい、請求項３５に記載の充電ステーション。
【請求項４６】
前記ベースは第１のセクション及び第２のセクションを含み、該第２のセクションは前記第１のセクションの上に積み重ねられ、該第１のセクションは前記第２のセクションに電気的に結合される、請求項３５に記載の充電ステーション。
【請求項４７】
前記充電ステーションは、前記第２のセクションに取り外し可能に結合される第３のセクションを更に含み；
前記第３のセクションは前記第２のセクションの上に積み重ねられ、前記第３のセクションは、前記第１のセクション及び前記第２のセクションのうちの少なくとも一方に電気的に結合される、請求項４６に記載の充電ステーション。
【請求項４８】
前記第１の組の電気照明はプログラムを記憶するように構成されているメモリをそれぞれ備え、前記第１の組の電気照明は、前記第１のトレイに電気的に結合されると前記プログラムを実行するようにそれぞれ構成されている、請求項３５に記載の充電ステーション。
【請求項４９】
前記第１の組の電気照明は、前記第１のトレイに電気的に結合されると照明するようにそれぞれ構成されている、請求項４８に記載の充電ステーション。
【請求項５０】
前記第１の組の電気照明は、前記第１のトレイにそれぞれ磁気的に結合される、請求項３５に記載の充電ステーション。
【請求項５１】
前記第１のトレイ及び前記第２のトレイのうちの少なくとも一方は、該トレイの少なくとも一部を横切って延びるように構成されている金属ストリップを含む、請求項３５に記載の充電ステーション。
【発明の詳細な説明】
【技術分野】
【０００１】
本発明の分野は、電気照明及び他のデバイスの充電ステーションである。
【背景技術】
【０００２】
以下の背景技術の説明は、本発明を理解する上で有用であり得る情報を含む。その説明は、本明細書において与えられる情報がいずれも、本願において特許請求される発明の従来技術若しくは関連技術であるか、又は、具体的に若しくは非明示的に言及される何らかの公報が従来技術であることを認めるものではない。
【０００３】
多くの充電システムが当該技術分野において既知であり、これらには全て１つ又は複数の欠点がある。例えば、特許文献１、特許文献２及び特許文献３；特許文献４、特許文献５、特許文献６及び特許文献７、特許文献８、特許文献９、特許文献１０、特許文献１１、特許文献１２、特許文献１３、特許文献１４、特許文献１５及び特許文献１６、並びに、特許文献１７、特許文献１８、特許文献１９、特許文献２０、特許文献２１、特許文献２２を参照のこと。
【０００４】
例えば、Hau他への特許文献２３は、付加的なキャンドルを充電することを可能にする誘導充電ステーションを説明している。しかし、Hau特許のデバイスは積み重ね可能ではなく、これによって、多数のキャンドルの充電が必要であるときに、必要とされる表面積が大幅に増す。Fournier他への特許文献１８は、必要とされる水平スペースを低減するための積み重ね可能な充電ステーションを意図するものであるが、キャンドルは、最初にデバイスの上側の段を取り外すことなく、積み重ね可能なデバイスから、特に最下段のデバイスから取り外すことが難しい可能性がある。
【０００５】
文脈によって相反する内容が指示されない限り、本明細書において記載される全ての範囲は、それらの端点を含むものとして解釈されるべきであり、オープンエンドの範囲は、商業的に実用的な値を含むように解釈されるべきである。同様に、値の全ての列挙は、文脈によって相反する内容が指示されない限り、中間の値を含むものとみなされるべきである。
【先行技術文献】
【特許文献】
【０００６】
【特許文献１】カナダ特許出願公開第２４１４６９９号
【特許文献２】カナダ特許出願公開第２５０５６６８号
【特許文献３】カナダ特許出願公開第２６６１１６５号
【特許文献４】中国特許出願公開第２０２０２４２３４号
【特許文献５】中国特許出願公開第２０２１９５４０４号
【特許文献６】中国特許出願公開第２０１０５３５８５号
【特許文献７】中国特許出願公開第２０１０８１０９１号
【特許文献８】英国特許出願公開第２３７７３２７号
【特許文献９】米国特許第７３９１１８２号
【特許文献１０】米国特許第７５０３６６８号
【特許文献１１】米国デザイン特許第０５６７９９３号
【特許文献１２】米国デザイン特許第０４８６７８７号
【特許文献１３】米国特許第８２１０７０８号
【特許文献１４】米国特許第６９８１７８６号
【特許文献１５】米国特許第６７１９４４３号
【特許文献１６】米国特許第６８１９０８０号
【特許文献１７】米国特許出願公開第２００１／００５５２０７号
【特許文献１８】米国特許出願公開第２０１１／０３１７４０３号
【特許文献１９】米国特許出願公開第２０１２／０２０１０２０号
【特許文献２０】米国特許出願公開第２００８／００３８１５６号
【特許文献２１】米国特許出願公開第２００４／００３７０６９号
【特許文献２２】米国特許出願公開第２００７／０２２３２１７号
【特許文献２３】米国特許出願公開第２０１０／０１２４０５０号
【発明の概要】
【発明が解決しようとする課題】
【０００７】
したがって、電気照明の改良された充電ステーションが依然として必要とされている。
【課題を解決するための手段】
【０００８】
本発明の主題は、一組の電気照明又は他のデバイスを再充電する装置、システム及び方法を提供する。幾つかの意図される実施形態では、再充電ステーションは、少なくとも第１の段及び第２の段を含むことができ、その少なくとも一方が、上側の段又は上部を取り外すことを必要とすることなく充電される電気照明へのアクセスを容易にする摺動可能なトレイを有する。
【０００９】
他の意図される充電ステーションは、電気を流すことができる鉄材料を含むことで、鉄材料に挿入される電気照明及び他のデバイスの充電を可能にすることができる。
また更なる意図される実施形態では、充電ステーションは、電気照明又は他のデバイスを配置することができる金属ストリップを含むことで、電気照明又はデバイスに電流を提供することができる。
【００１０】
また別の意図される充電ステーションは、複数のフィンガであって、その少なくとも幾つかが、充電される電気照明又は他のデバイスの電気接点と接触するように構成されている電気接点を有する、複数のフィンガを含むことができる。
【００１１】
意図されるキャンドル又は他の電気照明は、充電式バッテリを含むことができ、迅速に再充電することが可能な高度なバッテリを含むことができる。
本発明の主題の種々の目的、特徴、態様及び利点は、同様の符号が同様の構成部材を表す添付の図面とともに好ましい実施形態の以下の詳細な説明からより明らかとなるであろう。
【図面の簡単な説明】
【００１２】
【図１Ａ】階段充電ステーションの１つの実施形態の斜視図である。
【図１Ｂ】階段充電ステーションの１つの実施形態の側面図である。
【図１Ｃ】階段充電ステーションの１つの実施形態の正面図である。
【図２】雄型及び雌型の電気的カップリングの例示的な実施形態の上面図である。
【図３】階段充電ステーションの別の実施形態の側面図である。
【図４】充電ステーションの種々の実施形態の正面斜視図である。
【図５】充電ステーションの種々の実施形態の正面斜視図である。
【図６Ａ】充電ステーションの別の実施形態の斜視図である。
【図６Ｂ】充電ステーションの別の実施形態の斜視図である。
【図７】充電ステーションの種々の他の実施形態の正面図である。
【図８】充電ステーションの種々の他の実施形態の正面図である。
【図９】充電ステーションの種々の他の実施形態の正面図である。
【図１０Ａ】鉛直に配置された充電ステーションの正面図である。
【図１０Ｂ】鉛直に配置された充電ステーションの正面図である。
【図１１Ａ】鉛直に配置された充電ステーションの正面図である。
【図１１Ｂ】鉛直に配置された充電ステーションの正面図である。
【図１２Ａ】充電ステーションの別の実施形態の上面図である。
【図１２Ｂ】充電ステーションの別の実施形態の正面図である。
【図１３】充電ステーションの別の実施形態の側面図である。
【図１４Ａ】充電ステーションの別の実施形態の斜視図である。
【図１４Ｂ】線Ａ−Ａに沿った図１４Ａの充電ステーションの一部の縦断面図である。
【図１５】充電ステーションの別の実施形態の正面図である。
【図１６Ａ】充電ステーションの別の実施形態の斜視図である。
【図１６Ｂ】充電ステーションの別の実施形態の上面図である。
【発明を実施するための形態】
【００１３】
以下の説明の一部はコンピュータ／サーバベースの照明及び／又は充電システムに言及するが、種々の代替的な構成も好適であるものとみなされ、サーバ、インタフェース、システム、データベース、エージェント、ピア、エンジン、コントローラを含む種々のコンピューティングデバイス、又は、個々に若しくはまとめて動作する他のタイプのコンピューティングデバイスを使用することができることに留意されたい。コンピューティングデバイスは、有形の一時的でないコンピュータ可読記憶媒体（例えばハードドライブ、ソリッドステートドライブ、ＲＡＭ、フラッシュ、ＲＯＭ等）に記憶されるソフトウェア命令を実行するように構成されているプロセッサを含むことを理解されたい。ソフトウェア命令は、好ましくは、開示される装置に関して以下で説明するような役割、責任又は他の機能を与えるようにコンピューティングデバイスを構成する。特に好ましい実施形態では、種々のサーバ、システム、データベース又はインタフェースは、標準化プロトコル又はアルゴリズムを用いて、可能性としてはＨＴＴＰ、ＨＴＴＰＳ、ＡＥＳ、公衆−プライベート鍵交換、ウェブサービスＡＰＩ、既知の金融取引プロトコル又は他の電子情報交換方法に基づいてデータを交換する。データ交換は好ましくは、パケット交換ネットワーク、インターネット、ＬＡＮ、ＷＡＮ、ＶＰＮ、又は他のタイプのパケット交換ネットワークを通じて行われる。
【００１４】
以下の説明は、本発明の主題の多くの例示的な実施形態を提供する。各実施形態は、発明の要素の単一の組み合わせを提示するが、その発明の主題は、開示される要素の全ての可能な組み合わせを含むものとみなされる。したがって、１つの実施形態が要素Ａ、Ｂ及びＣを含み、第２の実施形態が要素Ｂ及びＤを含む場合、発明の主題は、明示的に開示されていなくても、Ａ、Ｂ、Ｃ又はＤの他の残りの組み合わせを含むものともみなされる。
【００１５】
図１Ａ〜図１Ｃにおいて、第１のセクション１０４、第２のセクション１０６、第３のセクション１０８及び第４のセクション１１０を含むベース１０２を有する、階段充電ステーション１００の１つの実施形態が示されている。４つのセクションが示されているが、意図されるステーションは、ユーザの必要性、及び同時に充電される電気照明又はデバイスの数に応じて、１つ又は複数のセクション、好ましくは少なくとも２つのセクションを含むことができる。
【００１６】
セクション１０４、１０６、１０８、１１０のそれぞれは、好ましくは、トレイ１０５、１０７、１０９、１１１をそれぞれ含み、それらの少なくとも１つをベース１０２に取り外し可能に結合することができる。各トレイ１０５、１０７、１０９、１１１は、１つ又は複数の充電ポート１１２を含むことができ、そのそれぞれが、電気照明又は他のデバイスを受け入れるようなサイズ及び寸法にされる。好ましいデバイスは、米国特許第８，０７０，３１９号に記載されているような無炎（電気）キャンドルを含む。トレイの各充電ポートは通常、隣り合う充電ポートと同じサイズ及び寸法であるが、トレイは、少なくとも２組の充電ポートを含むことができることが意図され、この場合、第１の組の充電ポートは第２の組よりもサイズが小さいか又は大きい。そのような実施形態では、異なるサイズの電気キャンドル又は他の光源を有利には同じトレイにおいて充電することができる。
【００１７】
このように、トレイ１０５、１０７、１０９、１１１のそれぞれは、一組の電気照明又は他のデバイスを受け入れて充電するように構成することができる。したがって、例えば、第１のトレイ１０５は、第１の組の電気照明を受け入れるように構成することができ、第２のトレイ１０７は、第２の組の電気照明を受け入れるように構成することができる、といった具合である。
【００１８】
ポート１１２は、キャンドル又は他のデバイスの底部を受け入れ、キャンドル又はデバイスがポート１１２から意図せず取り外されることを防止するのに役立つように構成されている凹部を任意選択的に含むことができる。ポート１１２が、キャンドル又はデバイスの底部の１つ又は複数の凹部と嵌合するようなサイズ及び寸法にされ、ベース１０２に結合されている間にキャンドル又はデバイスの直立位置を維持するのに役立つ１つ又は複数の突起を含むことができることが更に意図される。代替的には、キャンドル又はデバイスの底部は、キャンドル又はデバイスの底部を表面から持ち上げるための足部のような突起を含むことができ、ポート１１２は、突起を受け入れるように構成されている１つ又は複数の凹状のエリアを含むことができる。
【００１９】
トレイ１０５、１０７、１０９、１１１はそれぞれ、無線接続も意図されるが好ましくは有線接続を介してベース１０２に電気的に結合される。トレイ１０５、１０７、１０９、１１１は、第３のトレイ１０９が、第１のトレイ１０５に電気的に結合される第２のトレイ１０７に電気的に結合されるように、ベース１０２に連続的に結合することができる。代替的には、トレイ１０５、１０７、１０９、１１１のうちの１つ又は複数を、ベース１０２に並列に電気的に結合してもよい。
【００２０】
特に好ましい実施形態では、トレイ１０５、１０７、１０９、１１１は、キャンドルをトレイ１０５、１０７、１０９、１１１に配置するか又はキャンドルをトレイ１０５、１０７、１０９、１１１から取り外す必要があるときに迅速かつ容易に取り外すことができるように、ベース１０２にそれぞれ摺動可能に結合される。これは、そうでなければ上側セクションを最初に取り外すことなくデバイスにアクセスすることが難しいため、下側のトレイ及びセクションにおいて充電するデバイスに特に有用である。加えて、セクションの１つ又は複数において取り外し可能なトレイを可能にすることによって、異なるトレイを、取り外したばかりのトレイの代わりに挿入することができる。例えば、充電された電気キャンドルのトレイを取り外すことができ、電気キャンドルの異なるトレイを、そのトレイの代わりにベース１０２に電気的に結合することができる。
【００２１】
他の意図される実施形態では、トレイ１０５、１０７、１０９、１１１のうちの１つ又は複数をベース１０２に取り付けることができるか、又は更にはベース１０２と一体的であることが意図される。
【００２２】
図１Ａに示されているように、トレイ１０５、１０７、１０９、１１１は、順次上下に積み重ねることができる。したがって、第２のトレイ１０７を第１のトレイ１０５の上に配置することができ、他も同様に配置することができる。
【００２３】
種々のセクション１０４、１０６、１０８、１１０は、図示のように積み重ねることができ、１つ又は複数のセクションを所望であればステーション１００から取り外すことができるように取り外し可能に結合されることが意図される。これによって、有利には、単に付加的なセクションを加えるか又はもはや必要ではないときにセクションを取り外すことにより、充電ステーション１００に設けられる充電ポートの高さ及び数を動的に調整することが可能となる。例えば、消費者は、２段の充電ステーションを有し、後に充電ステーションの容量を増やすことを必要とする場合がある。付加的なセクションを既存のセクションに結合して積み重ねることを可能にすることによって、これにより、充電ステーション１００を取り換える必要なく、また、充電ステーション１００に必要な表面積を増やすことなく、充電ステーションの容量を経時にわたって必要に応じて増やすことが可能となる。
【００２４】
そのような実施形態では、セクション１０４、１０６、１０８、１１０を、ワイヤを介して電気的に結合することができるが、上側のセクションを、下側のセクションに積み重ねるときに下のセクションに電気的に結合することが好ましい。例示的な実施形態では、セクション１０４、１０６、１０８、１１０は、それらの底面及び上面に１つ又は複数の電気接点をそれぞれ含むことができ、好ましくは、上面の１つ又は複数の電気接点が、隣接するセクションの底面の１つ又は複数の電気接点に結合するように構成されている。
【００２５】
他の意図される実施形態では、ベース１０２を形成するセクションは、互いに固定して取り付けるか又は一体的であるものとすることができる。
充電ステーション１００、及び好ましくはトレイは、充電ステーション１００が電力を受け取っているか否か、キャンドル又は他のデバイスが充電されたか若しくは充電されているか否か等を示すことができる１つ又は複数の指示子１１４を有することができる。したがって、例えば、１つ又は複数の指示子１１４は、キャンドルの充電中には緑色が点滅し、キャンドルが完全に充電されると緑色のままであることができ、任意選択的には、エラーが生じると赤色又は別の色になることができる。充電ステーション１００が充電ポート１１２のそれぞれについての指示ライト１１４を含むことができ、それによって、ユーザが、どのキャンドル又は他のデバイスが完全に充電されたかをすぐに分かることができることが特に好ましい。そのような指示子はセクションによって分けることができ、例えば、図１Ａに示されているように各トレイに配置されるか、又はベース１０２の側面若しくは任意の他の好適な位置に配置することができる。
【００２６】
加えて又は代替的に、充電ステーション１００は、個々のキャンドル若しくはデバイス、又は、キャンドル若しくはデバイスのトレイの充電の進行を示すディスプレイ画面を任意選択的に含むことができる。このディスプレイ画面は、単一のキャンドル若しくはデバイス、キャンドル若しくはデバイスのトレイ、又はその時点で充電されている全てのキャンドル若しくはデバイスを充電するための残り時間の量を更に示すことができる。ディスプレイ画面は、ユーザがステーション１００に命令を入力することができるようにタッチスクリーンディスプレイであり得ることが更に意図される。例えば、画面を用いて、キャンドル又は他の電気デバイスのうちの１つ又は複数をプログラミングすることができる。そのような命令は、次に、電気的カップリング、別個の物理的コネクタ又は無線接続を介して個々のキャンドル又はデバイスに送信することができる。例えば、電気キャンドル又は照明を充電する場合、そのようなプログラムは、キャンドル又は照明が点灯するときに同期することができ、１日の特定の時間に自動的に照明するとともにオフになることができ、特定の波形パターンを有することができ、照明するときに用いる輝度及び色の特定のプログラムを有することができるといったように、特定の点灯スケジュール又はルーチンを含むことができる。
【００２７】
トレイが充電ステーション１００から取り外し可能であるか又は充電ステーション１００に対して摺動可能である実施形態では、ベース又はセクションが、挿入されるトレイの突起に嵌合するように好ましくは構成される１つ又は複数のトラック１１６を含むことができ、トラック１１６が充電ステーション内でトレイを案内して適切に位置合わせすることができることが意図される。したがって、例えば、セクションのそれぞれは、トレイと協働することでベース１０２内へのトレイの挿入を容易にするトラック１１６を含むことができる。トラック１１６は、突起１１８又はトレイの他の構成部材を挿入することができる窪んだ部分を含むことができる。代替的には、トラックは、トレイの窪みに挿入される突起又は他の構成部材を含んでもよい。
【００２８】
セクション１０４、１０６、１０８、１１０のそれぞれは、トレイを特定のセクションからより容易に取り外すことを可能にする窪み１２０を更に含むことができる。
好ましい実施形態では、充電される電気照明又は他のデバイスを、デバイスがトレイに対して特定の位置及び／又は向きを維持するように、トレイに磁気的に結合することができることが意図される。これは、各デバイス又はトレイに磁石を設けることによって達成することができる。代替的には、電気照明又は他のデバイスを、例えば電気的な接続、突出要素、又は充電ポートの側壁によって適所に物理的に保持することができることが意図される。
【００２９】
第１のトレイ及び第２のトレイのうちの少なくとも一方は、キャンドルの誘導充電を可能にするように構成されるよう、一組の誘導コイルを有することができる。
トレイが充電ステーションから取り外し可能である実施形態では、トレイ２００は、ベース２０６の電気コネクタ２０４に結合するように構成されている電気コネクタ２０２を含むことができることが意図される。例えば、図２に示されているように、トレイ２００は、セクション又はベース２０６の雌型コネクタ２０４に嵌合するようなサイズ及び寸法の雄型コネクタ２０２を含むことができる。そのような実施形態では、トレイ２００がセクション又はベース２０６内に挿入されるときに雄型コネクタ２０２を雌型コネクタ２０４と位置合わせすることができるように、雌型コネクタ２０４が、コネクタ２０４を囲むテーパ状のハウジング２０８を含むことが特に好ましい。当然ながら、トレイ２００が代替的に雌型コネクタを含み、ベースのセクションが雄型コネクタを含んでもよい。加えて、テーパ状の部分が、雌型コネクタが位置付けられる場所に応じてベース又はトレイ内に凹部として配置されてもよいことが意図される。
【００３０】
図３は、個々の段が充電される個々のキャンドル３０２又は照明への容易なアクセスを提供するように階段状にされる、階段充電ステーション３００の別の実施形態を示している。加えて、そのような構成は、充電される照明又はデバイスの視認者に目に見えて魅力的であることができ、充電ステーション３００を隠すのに用いることができる。例えば、そのような構成は、教会又は他の宗教的な催しにおけるキャンドルの点灯に使用することができる。異なる段同士は好ましくは取り付けられるが、他の実施形態では、互いに取り外し可能に結合することができる。
【００３１】
ステーション３００は各段にトレイを含むことができ、各段では、上側のトレイが下側のトレイの表面積よりも小さい表面積を有するが、ステーションは、ステーションの異なる高さに配置される充電ポート又はエリアと一体片であることが好ましい。図３に示されているように、ステーションは、各段に充電ポート又はエリアを有する階段状の外観を有することができる。
【００３２】
充電ポートは、図１Ａに示されているものと同様であることができるか、又は、キャンドル若しくは他のデバイスを充電するのに誘導を用いることができる。代替的には、段のそれぞれは金属ストリップを含むことができ、金属ストリップは、キャンドル又はデバイスが金属ストリップと接触して配置されるとキャンドル又はデバイスを充電することができる。
【００３３】
図４及び図５は、充電ステーション４００及び５００の異なる実施形態をそれぞれ示している。図４では、テーパ状のキャンドルの充電ステーションが示されている。図５は、燭台に似るように構成されている充電ステーション５００を示している。例えば、２４時間毎に所与の時間にわたって照明するようにキャンドル又は電気照明が自動的にタイミングを計ることができることが意図される。そのようなスケジュールはキャンドルにプログラミングすることができるが、キャンドル又は照明デバイスには、電気的カップリング、別個の有線接続又は無線接続等を介して充電ステーションに電気的に結合されるとそのような命令を自動的にプログラミングすることができることも意図される。したがって、キャンドル又は照明デバイスは、配置される充電ステーション又は位置に応じてプログラミングを変更するか又は受け取ることができるという点で「スマート」デバイスであり得る。
【００３４】
図６Ａ及び図６Ｂには、充電ステーション６００の別の実施形態が示されており、充電ステーション６００は、鉄材料６０４を受け入れるように構成されているトレイ６０２を含む。好ましくは、鉄材料６０４は、キャンドル又は他のデバイスを鉄材料６０４に挿入することができるように、トレイ６０２内に緩く詰められる。好ましくは、トレイ６０２は、鉄材料６０４がトレイ６０２によって帯電されるように、鉄材料６０４に電流を送るように構成されている。このように、キャンドル６０６又は他の電気デバイスを、キャンドル６０６又はデバイスを鉄材料６０４に挿入することによって充電することができることが意図される。
【００３５】
例えば、図６Ａ及び図６Ｂは、鉄材料６０４に挿入される複数の電気キャンドル６０６を示しており、鉄材料６０４はそれによって電気キャンドル６０６を充電することができる。そのような実施形態では、鉄材料６０４は電気的カップリングとして働き、それによって、キャンドル６０６を、単に鉄材料に挿入することによって充電又は給電することを可能にする。ビーチパラソルのポールを海辺の砂に挿入することと同様に、キャンドル又はデバイスを材料６０４に挿入するときに材料がキャンドル又はデバイスの周りで移動するという点で、鉄材料６０４は土のようであり得ることが意図される。トレイ６０２に対するキャンドル６０６の位置を維持するのに役立つように、必要に応じて第２の物質を鉄材料と混合することができることが意図される。
【００３６】
複数のキャンドル又は他のデバイスを充電する方法も意図される。幾つかの意図される実施形態では、鉄材料を保持するように構成されている容器を準備することができ、鉄材料を次に帯電させることができる。電気照明を鉄材料に挿入することができ、それによって、電気照明の充電を可能にする。代替的には、電気照明を鉄材料に挿入することで電気照明を充電するように指示をユーザに提供することができる。好ましい実施形態では、容器は、鉄材料を帯電させるように構成されている。
【００３７】
図７は、モジュール式の構成である充電ステーション７００の別の実施形態を示している。例えば、充電ステーションは、コネクタ７１０によって一緒に結合することができる３つのセクション７０２、７０４、７０６を含むことができる。任意の市販の好適な電気コネクタを用いて隣接するセクションを電気的に結合することができる。セクション７０２、７０４、７０６のそれぞれは、１つ又は複数の電気キャンドル７２０又は他のデバイスの充電を可能にするように構成することができる。
【００３８】
幾つかの意図される実施形態では、セクション７０２、７０４、７０６は、図１Ａに示されているもののような所定の充電ポートを有することができ、この場合、キャンドル又は他のデバイスはポートに挿入されることで充電される。他の実施形態では、セクション７０２、７０４、７０６のうちの１つ又は複数は１つ又は複数の誘導コイルを有することができることが意図され、誘導コイルは、キャンドル又は他のデバイスの誘導コイルと相互作用することで誘導によってそのようなデバイスを充電するように構成されている。更に他の実施形態では、セクション７０２、７０４、７０６のうちの１つ又は複数は代替的に、充電されるキャンドル又は他のデバイスを配置することができる金属ストリップを含むことができる。金属ストリップはそれによって、キャンドル又はデバイスの底面の電気接点に接触し、例えばそれによってキャンドル又はデバイスを充電することができる。
【００３９】
充電ステーション７００は任意選択的には、自由コネクタ７１０を有するセクションに結合することができる第４のセクション７０８を含むことができる。図７に示されているように、第４のセクション７０８は、第１のセクション７０２又は第３のセクション７０６に結合することができる。
【００４０】
図８は、セクション８０２、８０４及び８０６が上下に鉛直に積み重ねられるように配置することができるモジュール式の充電ステーション８００の別の実施形態を示している。幾つかの実施形態では、種々のセクション８０２、８０４及び８０６を、接続片８３０を介して電気的に結合することができる。接続片８３０は充電ステーション８００の上側セクションに支持を提供することができることも意図されるが、支持は、同様に又は代替的に別個の支持体によって提供してもよい。セクションは、鉛直に積み重ね可能であることに加えて、図７に示されているように水平に結合することができる。
【００４１】
図９は、天井又は他の位置から吊るすことができ、例えばシャンデリア又は他の光源に似るように構成することができるモジュール式の充電ステーション９００のまた別の実施形態を示している。そのような実施形態では、より審美的に満足のいく見た目を提供するように、セクション９０２、９０４、９０６が可撓性の又はワイヤコネクタ９３０を介して結合されることが好ましい。図９の残りの符号に関して、図８の同様の符号を有する同様の構成部材の同じ考察が当てはまる。
【００４２】
図１０Ａ及び図１０Ｂは、壁又は他の鉛直な向きの表面に好ましくは取り付けられるか又は吊るされるベース１００２を有する充電ステーション１０００の別の実施形態を示している。ステーション１０００は、好ましくはベース１００２の面法線に対して平行な向きの複数の充電トレイ１００４を含むことができる。トレイ１００４のそれぞれは、１つ又は複数のキャンドル又は他の電気照明を同時に充電することを可能にするように構成することができる。
【００４３】
ベース１００２は、トレイ１００４を挿入することができる所定の位置を含むことができるか、又は、ベース１００２及びトレイ１００４は一体片を形成することができることが意図される。代替的には、ベース１００２は、隣接するトレイ間の垂直及び／又は水平距離を必要又は所望に応じて変えることができるように、ベース１００２に対してトレイ１００４を位置決めし直すことを可能にするようモジュール式構造として構成することができる。したがって、例えば、ベース１００２は、トレイをベース１００２の多くの位置で結合することができるように構成する／組み立てることができる。これは、異なるサイズのトレイをベース１００２に結合することも可能にすることができる。
【００４４】
ベース１００２は、例えば、異なるサイズのキャンドル若しくは他のデバイス又は異なる数のキャンドル若しくは他のデバイスを充電することができるように、異なるトレイを好ましくは種々の位置においてベース１００２に電気的に結合することを可能にするように更に構成することができる。
【００４５】
図１１Ａ及び図１１Ｂは、一連の鉛直に取り付けられたトレイ１１０４を有する充電ステーション１１００の別の実施形態を示している。トレイ１１０４のそれぞれは、誘導又は物理的な電気的カップリング等によって１つ又は複数の電気キャンドル１１２０又は他のデバイスを充電するように好ましくは構成されている。トレイ１１０４は、薄い金属ストリップ１１２２及び１１２４を用いて電気的に結合することができ、そのうちの一方は、トレイ１１０４に正電荷を提供し、一方は負電荷を提供する。図１１Ａ及び図１１Ｂのそれぞれの残りの符号に関して、図１０Ａの同様の符号を有する同様の構成部材の同じ考察が当てはまる。
【００４６】
図１２Ａ及び図１２Ｂでは、複数のキャンドル１２２０又は他の電気的なデバイスを配置することができる誘導ストリップ１２０２を有する充電ステーション１２００が示されている。好ましくは、ストリップ１２０２は、キャンドル１２２０又は他のデバイスを誘導充電することを可能にするように構成されるよう、一組の誘導コイルを含む。幾つかの意図される実施形態では、ストリップ１２０２は、ワイヤレスパワーコンソーシアムによって開発されたＱｉ規格を使用するように構成することができる。好ましくは、誘導ストリップ１２０２は、キャンドル又はデバイスをストリップ１２０２の特定の位置に配置する必要がないように、充電されるキャンドル又は他のデバイスの自由な位置決めを可能にするように構成されている。例えば、１つの意図される形態では、複数の協働する流束発生器を使用することができる。
【００４７】
誘導ストリップ１２０２は、例えば、複数のキャンドルをトレイ内に集めることでキャンドルが特定の位置にあることを必要とすることなく充電することができるように、トレイ内に配置することができることが意図される。したがって、例えば、誘導ストリップ１２０２を図１Ａの充電ポートの代わりに使用することができる。
【００４８】
図１３は、薄く細長い金属ストリップ１３０２を有する充電ステーション１３００の別の実施形態を示している。電気キャンドル１３２０又は他のデバイスをストリップ１３０２に配置することができ、例えばキャンドル１３２０又は他のデバイスの底部の低電圧プレートがストリップ１３０２に接触すると充電することができる。金属ストリップ１３０２は、例えば、複数のキャンドルをトレイ内に集めることでキャンドルが特定の位置にあることを必要とすることなく充電することができるように、トレイ内に配置することができることが意図される。したがって、例えば、金属ストリップ１３０２を図１Ａの充電ポートの代わりに使用することができる。
【００４９】
図１４Ａ及び図１４Ｂは、複数の充電ポート１４１２を有するベース１４０２を有する充電ステーション１４００の別の実施形態を示しており、複数の充電ポート１４１２はそれぞれ、電気キャンドル１４２０又は他のデバイスを受け入れるように構成されている。ポート１４１２のそれぞれは、ポートから垂直に延び、キャンドル１４２０又は他のデバイスの雌型コネクタ１４１６内に受け入れられるように構成されている電気的なコネクタ１４１４を含むことができる。好ましくは、キャンドル１４１０は、キャンドル１４２０をベース１４０２に結合することによって充電することができる１つ又は複数の再充電式バッテリを含む。
【００５０】
図１５には、ハウジング１５０２内に配置される共鳴磁気コイル１５０４を有する充電ステーション１５００の別の実施形態が示されている。コイル１５０４は、有利には、共鳴磁気結合を介して第１の組及び第２の組の電気照明１５２０のうちの少なくとも一方を無線充電することを可能にする。ステーション１５００は、単一の段又は複数の段を含むことができる、充電用の専用のエリアを提供するように構成することができる。代替的には、ステーションは、キャンドル又は他の光源を、専用のステーションに移動させる必要なく充電することができるように、部屋の中に配置することができる。これは、例えば、電気キャンドル又は他の光源が１つ又は複数の部屋の周りに配置され得るレストランに有利であり、それによって、充電するためにキャンドルを毎晩集める必要性を排除することができる。
【００５１】
図１６Ａ及び図１６Ｂは、少なくとも１つのトレイ又はプラットフォーム１６０２を含むことができる充電ステーション１６００の別の実施形態を示している。トレイ又はプラットフォーム１６０２は、少なくとも幾つかが電気接点１６１２を有する複数のフィンガ１６１０を含むことができる。電気接点は、フィンガ１６１０の上側部分に示されているが、トレイ１６０２へのキャンドル又は他のデバイスの電気的な結合を可能にするように、フィンガの上部又は任意の他の位置にあってもよい。フィンガ１６１０は、例えば、フィンガ１６１０がトレイ又はプラットフォームに結合される点を中心に少なくとも部分的に回動するようにそれぞれ構成することができる。このように、フィンガ１６１０は、充電されるキャンドル又は他のデバイスの周りに配置されることを可能にするように向きを変えることができる。
【００５２】
幾つかの意図される実施形態では、フィンガ１６１０は、電気キャンドル又は他のデバイス等によって強制的に下げられると上方に付勢するがトレイ又はプラットフォーム１６０２内に後退することができる突出する電気接点をそれぞれ含むことができる。したがって、例えば、より大きいキャンドルがトレイ又はプラットフォームに配置される場合、そのキャンドル又は他のデバイスによって覆われており使用されていない任意の接点は押し下げられてトレイ又はプラットフォームに入れられる。これは、それぞれに対して別個のトレイを必要とすることなくより小さいか又はより大きいキャンドルを充電することを可能にする。
【００５３】
電気照明又はキャンドルは、好ましくは、実行時にキャンドル又は照明の１つ又は複数の挙動を命令することができる１つ又は複数のプログラム又はソフトウェア命令を記憶するように構成されているメモリを含むことができる。例えば、プログラム又は命令は、キャンドルが照明するべきとき、サイクル／１日あたりの照明の持続時間、各光源（複数の場合もあり）の輝度、表示する特定の点灯パターン（例えば色、強度、タイミング等）といったものを命令することができる。
【００５４】
キャンドル又は他の光源は、充電ステーションに電気的に結合されると、特定のプログラムを自動的に実行するようにプログラミングすることができることが更に意図される。単純化した例は、キャンドルが、充電ステーションに電気的に結合されると自動的に照明するというものである。一方で、キャンドルは、電気的に結合されると充電ステーションの特定のタイプを判断することができ、電気的に結合されている間にそのタイプの充電ステーションに特有のプログラムを実行することができるように構成することができることが意図される。その判断は、キャンドルが、キャンドルへの充電ステーションを特定するために充電ステーションから信号を受信するほど簡単であり得るか、又は、充電ポートの構成、充電機構等に基づくことができる。
【００５５】
キャンドルは、充電ステーションにおいて充電される間、例えば、連続して照明及び／又は暗転するように、点灯効果に関して順序付けることができる。図１０Ａ及び図１０Ｂに示されている実施形態では、例えば、キャンドルは、上側又は下側のキャンドルから開始して連続的に照明することができる。ステーションは、全てのキャンドルをオンにする、全てのキャンドルをオフにする、上部から底部にシーケンスを実行する、順番通りのシーケンスから外れて実行する、ランダムな照明を実行する、又はキャンドルを用いたフェーディングパターンといった特定のプログラムをユーザが選択することを可能にするインタフェースを有することができることが更に意図される。ユーザは代替的なプログラムをロードすることができることが更に意図される。
【００５６】
上記の充電ステーションのいずれも、充電ステーションが、電気キャンドル又は他のデバイスが充電されている／インタフェースの範囲内にある間に電気キャンドル又は他のデバイスと通信することができるように、無線インタフェースを含むことができる。例示的なインタフェースは、ＷＩＦＩ、赤外線、Ｂｌｕｅｔｏｏｔｈ（登録商標）等を含む。このように、電気キャンドル又は他のデバイスには、例えば、コンピュータへの各キャンドル又はデバイスの個々の接続を必要とすることなく中央位置でプログラミングすることができる。代替的には、キャンドルは、電気的カップリング又は他の有線接続を介してソフトウェア命令を受信してもよい。
【００５７】
幾つかの実施形態では、本発明の特定の実施形態を記載及び特許請求するために用いられる、成分の量を表す数字、濃度、反応条件等の性質等は、幾つかの場合に「約」という用語によって修飾されるものと理解されるべきである。したがって、幾つかの実施形態では、本明細書及び添付の特許請求の範囲に記載される数値パラメータは、特定の実施形態によって得られると考えられる所望の特性に応じて変わり得る近似値である。幾つかの実施形態では、数値パラメータは、報告される有意な桁の数を考慮して、通常の四捨五入技法を適用することによって解釈されるべきである。本発明の幾つかの実施形態の広範な範囲を記載する数値範囲及びパラメータが近似値であるにもかかわらず、特定の例において記載される数値は実施可能に正確に報告される。本発明の幾つかの実施形態において提示される数値は、それらのそれぞれの試験測定において見られる標準偏差に必然的に起因する特定の誤差を含む場合がある。
【００５８】
本明細書における記載、及び以下の特許請求の範囲を通して用いられる場合、「a」、「an」及び「the」の意味は、文脈によって別途はっきりと指示されない限り、複数の言及対象を含む。また、本明細書における記載において用いられる場合、「in」の意味は、文脈によって別途はっきりと指示されない限り、「in」及び「on」を含む。
【００５９】
本明細書における値の範囲の列挙は単に、その範囲内に入る各別個の値に個々に言及する簡潔な方法として働くことが意図される。本明細書において別途示されない限り、各個々の値は、本明細書において個々に列挙されるかのように本明細書に援用される。本明細書において記載される全ての方法は、本明細書において別途示されるか又は文脈によって別様に明らかに矛盾しない限り、任意の好適な順序で行うことができる。本明細書における特定の実施形態に関して与えられるあらゆる例又は例を表す文言（例えば「等」）の使用は、本発明をより分かりやすくすることが単に意図され、別様に特許請求される本発明の範囲を限定するものではない。明細書中の文言はいずれも、本発明の実施に必須である何らかの特許請求の範囲に記載されない要素を示すものとして解釈されるべきではない。
【００６０】
本明細書において開示される本発明の代替的な要素又は実施形態のグループ分けは、限定として解釈されるべきではない。各グループの構成要素は、個々に、又は、本明細書において見られるグループの他の構成要素若しくは他の要素との任意の組み合わせで言及及び特許請求することができる。グループの１つ又は複数の構成要素は、簡便性及び／又は特許性の理由からグループに含めることができるか又はグループから排除することができる。任意のそのような包含又は排除が行われる場合、明細書は、変更されたグループを含むものとみなされ、したがって、添付の特許請求の範囲において用いられる全てのマーカッシュグループの説明を満たす。
【００６１】
本明細書において用いられる場合、文脈によって別途指示されない限り、「結合される（coupled to）」という用語は、直接的な結合（互いに結合される２つの要素が互いに接触する）、及び、間接的な結合（少なくとも１つの付加的な要素が２つの要素の間に位置する）の双方を含むことが意図される。したがって、「結合される（coupled to）」及び「結合される（coupled with）」という用語は同義に用いられる。
【００６２】
当業者には、本明細書における発明の概念から逸脱することなく、既に記載したものに加えてより多くの変更形態が可能であることが明らかであるはずである。したがって、本発明の主題は、添付の特許請求の範囲の範囲以外では限定されるべきではない。さらに、明細書及び特許請求の範囲の双方を理解する上で、全ての用語は、文脈に一致して可能な限り広範に解釈されるべきである。特に、「含む（"comprises" and "comprising"）」という用語は、要素、構成部材又はステップに非排他的に言及するものとして解釈されるべきであり、言及される要素、構成部材若しくはステップが存在することができるか、又は使用することができるか、又は明示的に言及されていない他の要素、構成部材若しくはステップと組み合わせられることを示す。明細書及び特許請求の範囲がＡ、Ｂ、Ｃ・・・及びＮからなる群から選択される何かのうちの少なくとも１つに言及する場合、その文章は、ＡとＮ又はＢとＮ等ではなく、その群からの１つのみの要素を必要とするものとして解釈されるべきである。
【図１Ａ】
2015526058.tif 000003
【図１Ｂ】
2015526058.tif 000004
【図１Ｃ】
2015526058.tif 000005
【図２】
2015526058.tif 000006
【図３】
2015526058.tif 000007
【図４】
2015526058.tif 000008
【図５】
2015526058.tif 000009
【図６Ａ】
2015526058.tif 000010
【図６Ｂ】
2015526058.tif 000011
【図７】
2015526058.tif 000012
【図８】
2015526058.tif 000013
【図９】
2015526058.tif 000014
【図１０Ａ】
2015526058.tif 000015
【図１０Ｂ】
2015526058.tif 000016
【図１１Ａ】
2015526058.tif 000017
【図１１Ｂ】
2015526058.tif 000018
【図１２Ａ】
2015526058.tif 000019
【図１２Ｂ】
2015526058.tif 000020
【図１３】
2015526058.tif 000021
【図１４Ａ】
2015526058.tif 000022
【図１４Ｂ】
2015526058.tif 000023
【図１５】
2015526058.tif 000024
【図１６Ａ】
2015526058.tif 000025
【図１６Ｂ】
2015526058.tif 000026
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
充電ステーションであって、
ベースと、
前記ベースに電気的に結合されるとともに、第１の組の電気照明及び第２の組の電気照明をそれぞれ充電することを可能にするように構成されている第１のトレイ及び第２のトレイとを備え、
前記第１のトレイ及び前記第２のトレイのうちの少なくとも一方は、前記ベースから水平に摺動することができるように、前記ベースに取り外し可能に結合される、充電ステーション。
【請求項２】
前記第１のトレイは前記ベースに取り付けられる、請求項１に記載の充電ステーション。
【請求項３】
前記第１のトレイは前記ベースと一体的である、請求項１に記載の充電ステーション。
【請求項４】
前記第２のトレイは前記第１のトレイの上で前記ベースに接続され、前記第１のトレイ及び前記第２のトレイは前記ベースに電気的に結合される、請求項１に記載の充電ステーション。
【請求項５】
前記第１のトレイ及び前記第２のトレイは階段状である、請求項４に記載の充電ステーション。
【請求項６】
前記ベースは第１のセクション及び第２のセクションを含み、前記第１のトレイは前記第１のセクションに配置され、前記第２のトレイは前記第２のセクションに配置される、請求項１に記載の充電ステーション。
【請求項７】
前記第１のセクション及び前記第２のセクションは取り外し可能に結合される、請求項６に記載の充電ステーション。
【請求項８】
前記第１のトレイ及び前記第２のトレイは前記ベースに並列に電気的に結合される、請求項１に記載の充電ステーション。
【請求項９】
前記第１のトレイ及び前記第２のトレイは前記ベースに直列に電気的に結合される、請求項１に記載の充電ステーション。
【請求項１０】
前記第１のトレイ及び前記第２のトレイのうちの少なくとも一方は、誘導充電を可能にするように構成されるよう、一組の誘導コイルを含む、請求項１に記載の充電ステーション。
【請求項１１】
前記充電ステーションは、共鳴磁気結合によって前記第１の組の電気照明及び前記第２の組の電気照明のうちの少なくとも一方の無線充電を可能にするように構成されている共鳴磁気コイルを更に含む、請求項１に記載の充電ステーション。
【請求項１２】
前記第１の組の電気照明は第１の電気照明及び第２の電気照明を含み、前記第１の電気照明の設置面積は、前記第２の電気照明の設置面積よりも小さい、請求項１に記載の充電ステーション。
【請求項１３】
前記ベースは第１のセクション及び第２のセクションを含み、該第２のセクションは前記第１のセクションの上に積み重ねられ、該第１のセクションは前記第２のセクションに電気的に結合される、請求項１に記載の充電ステーション。
【請求項１４】
前記充電ステーションは、前記第２のセクションに取り外し可能に結合される第３のセクションを更に含み、
前記第３のセクションは前記第２のセクションの上に積み重ねられ、前記第３のセクションは、前記第１のセクション及び前記第２のセクションのうちの少なくとも一方に電気的に結合される、請求項１３に記載の充電ステーション。
【請求項１５】
前記第１の組の電気照明はプログラムを記憶するように構成されているメモリをそれぞれ備え、前記第１の組の電気照明は、前記第１のトレイに電気的に結合されると前記プログラムを実行するようにそれぞれ構成されている、請求項１に記載の充電ステーション。
【請求項１６】
前記第１の組の電気照明は、前記第１のトレイに電気的に結合されると照明するようにそれぞれ構成されている、請求項１５に記載の充電ステーション。
【請求項１７】
前記第１の組の電気照明は、前記第１のトレイにそれぞれ磁気的に結合される、請求項１に記載の充電ステーション。
【請求項１８】
前記第１のトレイ及び前記第２のトレイのうちの少なくとも一方は、該トレイの少なくとも一部を横切って延びるように構成されている金属ストリップを含む、請求項１に記載の充電ステーション。
【請求項１９】
充電ステーションであって、
緩く詰められる導電性材料を受け入れるように構成されているトレイを備え、
前記トレイは、前記緩く詰められる導電性材料が帯電されるように該緩く詰められる導電性材料に電流を流すように構成されている、充電ステーション。
【請求項２０】
前記緩く詰められる導電性材料は、電気照明が該緩く詰められる導電性材料に挿入されると、該電気照明の充電を可能にするように構成されている、請求項２１に記載の充電ステーション。
【請求項２１】
電気照明を充電する方法であって、
緩く詰められる導電性材料を保持するように構成されている容器を準備することと
前記緩く詰められる導電性材料を帯電させることと、 
電気照明を前記緩く詰められる導電性材料に挿入することと
を含む、方法。
【請求項２２】
前記容器は、前記緩く詰められる導電性材料を用いて電気照明を帯電させるように構成されている、請求項２１に記載の方法。
【請求項２３】
電気照明を充電する方法であって、
緩く詰められる導電性材料を保持するように構成されている容器であって、前記導電性材料に電流を流すように構成されている前記容器を準備すること、及び
ユーザに、電気照明を前記緩く詰められる導電性材料に挿入して該電気照明を充電するように指示すること
を含む、方法。
【請求項２４】
充電ステーションであって、
金属ストリップに電気的に結合されるベースを備え、
前記ベースは、電気照明が該ベースによって受け入れられると前記金属ストリップが前記電気照明の電気接点に接触するよう、前記電気照明を受け入れるように構成されている、充電ステーション。
【請求項２５】
前記金属ストリップと前記電気接点との間の接触は、前記金属ストリップから前記電気照明への電流の伝達を可能にする、請求項２４に記載の充電ステーション。
【請求項２６】
前記金属ストリップを含むトレイを更に備える、請求項２４に記載の充電ステーション。
【請求項２７】
前記トレイは前記ベースと一体的である、請求項２６に記載の充電ステーション。
【請求項２８】
充電ステーションであって、
ベースと、
前記ベースに電気的に結合されるとともに、第１の組の電気照明を充電することを可能にするように構成されている第１のトレイとを備え、
前記第１のトレイは、該第１のトレイ内に配置される複数のフィンガを含み、該フィンガのうちの少なくとも幾つかは電気接点を含む、充電ステーション。
【請求項２９】
前記第１のトレイは、前記第１の組の電気照明を受け入れるように構成されている、請求項２８に記載の充電ステーション。
【請求項３０】
前記複数のフィンガは、前記第１のトレイが前記第１の組の電気照明を受け入れると少なくとも部分的に回動するようにそれぞれ構成されている、請求項２８に記載の充電ステーション。
【請求項３１】
前記複数のフィンガは、前記第１の組の電気照明の電気接点に接触するように構成されている電気接点をそれぞれ含む、請求項２８に記載の充電ステーション。
【請求項３２】
前記第１の組の電気照明は少なくとも２つの異なるサイズの電気照明を含む、請求項２８に記載の充電ステーション。
【請求項３３】
前記第１のトレイは前記ベースと一体的である、請求項２８に記載の充電ステーション。
【請求項３４】
前記第１のトレイは、第１の充電プラットフォームを受け入れるように構成されており、該第１の充電プラットフォームは前記第１の組の電気照明を受け入れるように構成されている、請求項２８に記載の充電ステーション。
【請求項３５】
充電ステーションであって、
ベースと、
前記ベースに電気的に結合されるとともに、第１の組の電気照明及び第２の組の電気照明をそれぞれ充電することを可能にするように構成されている第１のトレイ及び第２のトレイとを備え、
前記第１のトレイ及び前記第２のトレイのうちの少なくとも一方は、前記第１の組の電気照明及び前記第２の組の電気照明の誘導充電を可能にするように構成されている一組の誘導コイルを含み、
前記第１のトレイ及び前記第２のトレイのうちの少なくとも一方は、前記ベースから水平に摺動することができるように、前記ベースに取り外し可能に結合される、充電ステーション。
【請求項３６】
前記第１のトレイは前記ベースに取り付けられる、請求項３５に記載の充電ステーション。
【請求項３７】
前記第１のトレイは前記ベースと一体的である、請求項３５に記載の充電ステーション。
【請求項３８】
前記第２のトレイは前記第１のトレイの上で前記ベースに取り付けられ、前記第１のトレイ及び前記第２のトレイは前記ベースに電気的に結合される、請求項３５に記載の充電ステーション。
【請求項３９】
前記第１のトレイ及び前記第２のトレイは階段状である、請求項３８に記載の充電ステーション。
【請求項４０】
前記ベースは第１のセクション及び第２のセクションを含み、前記第１のトレイは前記第１のセクションに配置され、前記第２のトレイは前記第２のセクションに配置される、請求項３５に記載の充電ステーション。
【請求項４１】
前記第１のセクション及び前記第２のセクションは取り外し可能に結合される、請求項４０に記載の充電ステーション。
【請求項４２】
前記第１のトレイ及び前記第２のトレイは前記ベースに並列に電気的に結合される、請求項３５に記載の充電ステーション。
【請求項４３】
前記第１のトレイ及び前記第２のトレイは前記ベースに直列に電気的に結合される、請求項３５に記載の充電ステーション。
【請求項４４】
前記一組の誘導コイルは、共鳴磁気結合によって前記第１の組の電気照明及び前記第２の組の電気照明のうちの少なくとも一方の無線充電を可能にするように構成されている共鳴磁気コイルを含む、請求項３５に記載の充電ステーション。
【請求項４５】
前記第１の組の電気照明は第１の電気照明及び第２の電気照明を含み、前記第１の電気照明の設置面積は、前記第２の電気照明の設置面積よりも小さい、請求項３５に記載の充電ステーション。
【請求項４６】
前記ベースは第１のセクション及び第２のセクションを含み、該第２のセクションは前記第１のセクションの上に積み重ねられ、該第１のセクションは前記第２のセクションに電気的に結合される、請求項３５に記載の充電ステーション。
【請求項４７】
前記充電ステーションは、前記第２のセクションに取り外し可能に結合される第３のセクションを更に含み；
前記第３のセクションは前記第２のセクションの上に積み重ねられ、前記第３のセクションは、前記第１のセクション及び前記第２のセクションのうちの少なくとも一方に電気的に結合される、請求項４６に記載の充電ステーション。
【請求項４８】
前記第１の組の電気照明はプログラムを記憶するように構成されているメモリをそれぞれ備え、前記第１の組の電気照明は、前記第１のトレイに電気的に結合されると前記プログラムを実行するようにそれぞれ構成されている、請求項３５に記載の充電ステーション。
【請求項４９】
前記第１の組の電気照明は、前記第１のトレイに電気的に結合されると照明するようにそれぞれ構成されている、請求項４８に記載の充電ステーション。
【請求項５０】
前記第１の組の電気照明は、前記第１のトレイにそれぞれ磁気的に結合される、請求項３５に記載の充電ステーション。
【請求項５１】
前記第１のトレイ及び前記第２のトレイのうちの少なくとも一方は、該トレイの少なくとも一部を横切って延びるように構成されている金属ストリップを含む、請求項３５に記載の充電ステーション。
【手続補正書】
【提出日】平成27年7月13日(2015.7.13)
【手続補正１】
【補正対象書類名】特許請求の範囲
【補正対象項目名】全文
【補正方法】変更
【補正の内容】
【特許請求の範囲】
【請求項１】
モジュール式充電ステーションであって、
それぞれ少なくとも１つの電気照明を支持する第１のセクション及び第２のセクションと、
前記第１のセクションを前記第２のセクションに電気的に結合する第１の接続片と、
前記第１のセクション、前記第２のセクション又はベースに結合され、前記充電ステーションが壁から吊るされることに使われるマウントと
を備えるモジュール式充電ステーション。
【請求項２】
前記第１のセクション及び前記第２のセクションは、上下に垂直に積み重ねられ、前記第１の接続片は前記第１のセクション及び前記第２のセクションの間に配置される、請求項１に記載の充電ステーション。
【請求項３】
前記第１の接続片は、前記第１のセクション及び前記第２のセクションに結合された際に、前記第２のセクションに対する前記第１のセクション位置を維持することに使われる、請求項１に記載の充電ステーション。
【請求項４】
前記第１のセクション、前記第２のセクション及び前記第１の接続片は、互いに取外し可能に結合される、請求項１に記載の充電ステーション。
【請求項５】
第３のセクションと第２の接続片とを備え、前記第３のセクションは、前記第１のセクション、前記第１の接続片及び前記第２接続片に結合可能である、請求項１に記載の充電ステーション。
【請求項６】
前記第１のセクション、前記第２のセクション、前記第３のセクション、前記第１の接続片及び前記第２の接続片は、互いに取外し可能に結合される、請求項５に記載の充電ステーション。
【請求項７】
前記第１のセクションは、誘導充電を可能にするように構成されるよう、一組の誘導コイルを含む、請求項１に記載の充電ステーション。
【請求項８】
共鳴磁気結合によって少なくとも１つの電気照明の無線充電を可能にするように構成されている共鳴磁気コイルを更に含む、請求項１に記載の充電ステーション。
【請求項９】
前記第１のセクションは、同セクションの少なくとも一部を横切って延びるように構成されている金属ストリップを含む、請求項１に記載の充電ステーション。
【請求項１０】
前記ベースは第１のセクション及び第２のセクションを含み、該第２のセクションは前記第１のセクションの上に積み重ねられ、該第１のセクションは前記第２のセクションに電気的に結合される、請求項１に記載の充電ステーション。
【請求項１１】
前記第１のセクションは、少なくとも２つの異なるサイズの電気照明のための、一組のレセプタクルを備える、請求項１に記載の充電ステーション。
【請求項１２】
ハウジングと、
前記ハウジング内に配置され、共鳴磁気結合によって１組の電気キャンドルを無線充電することを可能にする、共鳴磁気コイルと
を備え、
前記共鳴磁気コイルは、前記ハウジングの外側で同ハウジングから離れた所定の領域において前記１組のキャンドルを無線充電できるように構成される、充電ステーション。
【請求項１３】
前記ハウジングは、前記共鳴磁気コイルに電気的に連結されたバッテリを含む、請求項１２に記載の充電ステーション。
【請求項１４】
前記１組の電気キャンドルの各電気キャンドルと通信するように構成される無線インタフェースを備える、請求項１２に記載の充電ステーション。
【請求項１５】
前記無線インタフェースは、１つ又は複数のプログラムが前記電気キャンドルに送られることを許容する、請求項１４に記載の充電ステーション。
【請求項１６】
ユーザが前記１つ又は複数のプログラムを前記電気キャンドルに送ることを許容するユーザインタフェースを備える、請求項１４に記載の充電ステーション。
【請求項１７】
充電ステーションであって、
ベースと、
前記ベースに電気的に結合されるとともに、第１の組の電気照明及び第２の組の電気照明をそれぞれ充電することを可能にするように構成されている第１のトレイ及び第２のトレイと、
前記電気照明の１つ又は複数に照明用のプログラムを送信する送信部と、
を備える充電ステーション。
【請求項１８】
前記第２のトレイは前記第１のトレイの上で前記ベースに接続され、前記第１のトレイ及び前記第２のトレイは前記ベースに電気的に結合される、請求項１７に記載の充電ステーション。
【請求項１９】
前記第１のトレイ及び前記第２のトレイのうちの少なくとも一方は、前記ベースから水平に摺動することができるように、前記ベースに取り外し可能に結合される、請求項１７に記載の充電ステーション。
【請求項２０】
前記ベースは第１のセクション及び第２のセクションを含み、前記第１のトレイは前記第１のセクションに配置され、前記第２のトレイは前記第２のセクションに配置される、請求項１７に記載の充電ステーション。
【請求項２１】
前記第１のセクション及び前記第２のセクションは取り外し可能に結合される、請求項２０に記載の充電ステーション。
【請求項２２】
前記第１のトレイ及び前記第２のトレイは前記ベースに並列に電気的に結合される、請求項１７に記載の充電ステーション。
【請求項２３】
前記第１のトレイ及び前記第２のトレイのうちの少なくとも一方は、無線充電可能に構成されるように、一組の誘導コイル又は共鳴磁気コイルを備える、請求項１７に記載の充電ステーション。
【請求項２４】
前記第１の組の電気照明は第１の電気照明及び第２の電気照明を含み、前記第１の電気照明の設置面積は、前記第２の電気照明の設置面積よりも小さい、請求項１７に記載の充電ステーション。
【請求項２５】
前記送信部は前記照明プログラムを前記電気キャンドルに無線送信する、請求項１７に記載の充電ステーション。
【請求項２６】
前記送信部は、電気的カップリングにより前記照明プログラムを前記電気キャンドルに送信する、請求項１７に記載の充電ステーション。
【請求項２７】
前記ベースは第１のセクション及び第２のセクションを含み、該第２のセクションは前記第１のセクションの上に積み重ねられ、該第１のセクションは前記第２のセクションに電気的に結合される、請求項１７に記載の充電ステーション。
【請求項２８】
前記充電ステーションは、前記第２のセクションに取り外し可能に結合される第３のセクションを更に含み、
前記第３のセクションは前記第２のセクションの上に積み重ねられ、前記第３のセクションは、前記第１のセクション及び前記第２のセクションのうちの少なくとも一方に電気的に結合される、請求項２７に記載の充電ステーション。
【請求項２９】
前記第１の組の電気照明はプログラムを記憶するように構成されているメモリをそれぞれ備え、前記第１の組の電気照明は、前記第１のトレイに電気的に結合されると新たなプログラムを受け取るようにそれぞれ構成されている、請求項１７に記載の充電ステーション。
【請求項３０】
前記第１のトレイ及び前記第２のトレイのうちの少なくとも一方は、該トレイの少なくとも一部を横切って延びるように構成されている金属ストリップを含む、請求項１７に記載の充電ステーション。
【請求項３１】
充電ステーションであって、
緩く詰められる導電性材料を受け入れるように構成されているトレイを備え、
前記トレイは、前記緩く詰められる導電性材料が帯電されるように該緩く詰められる導電性材料に電流を流すように構成されている、充電ステーション。
【請求項３２】
前記緩く詰められる導電性材料は、電気照明が該緩く詰められる導電性材料に挿入されると、該電気照明の充電を促すように構成されている、請求項３１に記載の充電ステーション。
【請求項３３】
電気照明を充電する方法であって、
緩く詰められる導電性材料を保持するように構成されている容器であって、前記導電性材料に電流を流すように構成されている前記容器を準備すること；及び
ユーザに、電気照明を前記緩く詰められる導電性材料に挿入して該電気照明を充電するように指示すること
を含む、方法。
【請求項３４】
前記容器は、前記緩く詰められる導電性材料により電気照明を充電するように構成されている、請求項３３に記載の方法。
【請求項３５】
充電ステーションであって、
金属ストリップに電気的に結合されるベースを備え、
前記ベースは、電気照明が該ベースによって受け入れられると前記金属ストリップが前記電気照明の電気接点に接触するよう、前記電気照明を受け入れるように構成され
前記金属ストリップと前記電気接点との間の接触は、前記金属ストリップから前記電気照明への電流の伝達を可能にする、充電ステーション。
【請求項３６】
充電ステーションであって、
ベースと、
前記ベースに電気的に結合されるとともに、第１の組の電気照明及び第２の組の電気照明をそれぞれ充電することを可能にするように構成されている第１のトレイ及び第２のトレイとを備え、
前記第１のトレイ及び前記第２のトレイのうちの少なくとも一方は、前記第１の組の電気照明及び前記第２の組の電気照明の誘導充電を可能にするように構成されている一組の誘導コイルを含み、
前記第１のトレイ及び前記第２のトレイのうちの少なくとも一方は、前記ベースから水平に摺動することができるように、前記ベースに取り外し可能に結合される、充電ステーション。
【請求項３７】
前記第２のトレイは前記第１のトレイの上で前記ベースに取り付けられ、前記第１のトレイ及び前記第２のトレイは前記ベースに電気的に結合される、請求項３６に記載の充電ステーション。
【請求項３８】
前記第１のトレイ及び前記第２のトレイは前記ベースに並列に電気的に結合される、請求項３６に記載の充電ステーション。
【請求項３９】
前記一組の誘導コイルは、共鳴磁気結合によって前記第１の組の電気照明及び前記第２の組の電気照明のうちの少なくとも一方の無線充電を可能にするように構成されている共鳴磁気コイルを含む、請求項３６に記載の充電ステーション。
【請求項４０】
前記第１の組の電気照明は第１の電気照明及び第２の電気照明を含み、前記第１の電気照明の設置面積は、前記第２の電気照明の設置面積よりも小さい、請求項３６に記載の充電ステーション。
【請求項４１】
前記ベースは第１のセクション及び第２のセクションを含み、該第２のセクションは前記第１のセクションの上に積み重ねられ、該第１のセクションは前記第２のセクションに電気的に結合される、請求項３６に記載の充電ステーション。
【請求項４２】
前記充電ステーションは、前記第２のセクションに取り外し可能に結合される第３のセクションを更に含み；
前記第３のセクションは前記第２のセクションの上に積み重ねられ、前記第３のセクションは、前記第１のセクション及び前記第２のセクションのうちの少なくとも一方に電気的に結合される、請求項４１に記載の充電ステーション。
【請求項４３】
前記第１の組の電気照明はプログラムを記憶するように構成されているメモリをそれぞれ備え、前記第１の組の電気照明は、前記第１のトレイに電気的に結合されると前記プログラムを実行するようにそれぞれ構成されている、請求項３６に記載の充電ステーション。
【請求項４４】
前記第１の組の電気照明は、前記第１のトレイにそれぞれ磁気的に結合される、請求項３６に記載の充電ステーション。
【請求項４５】
前記第１のトレイ及び前記第２のトレイのうちの少なくとも一方は、該トレイの少なくとも一部を横切って延びるように構成されている金属ストリップを含む、請求項３６に記載の充電ステーション。
【請求項４６】
充電ステーションであって、
ベースと、
前記ベースに電気的に結合されるとともに、第１の組の電気照明を充電することを可能にするように構成されている第１のトレイとを備え、
前記第１のトレイは、該第１のトレイ内に配置される複数のフィンガを含み、該フィンガのうちの少なくとも幾つかは電気接点を含む、充電ステーション。
【請求項４７】
前記第１のトレイは、前記第１の組の電気照明を受け入れるように構成されている、請求項４６に記載の充電ステーション。
【請求項４８】
前記複数のフィンガは、前記第１のトレイが前記第１の組の電気照明を受け入れると少なくとも部分的に回動するようにそれぞれ構成されている、請求項４６に記載の充電ステーション。
【請求項４９】
前記複数のフィンガは、前記第１の組の電気照明の電気接点に接触するように構成されている電気接点をそれぞれ含む、請求項４６に記載の充電ステーション。
【請求項５０】
前記第１の組の電気照明は少なくとも２つの異なるサイズの電気照明を含む、請求項４６に記載の充電ステーション。
【国際調査報告】
2015526058.tif 000027
2015526058.tif 000028